(57)【要約】【課題】情報機器等に使用されるモータの回転軸がコアに圧入されたロータコアにおいて、回転軸の曲がり、傷つきのないロータコアを提供すること。【解決手段】コアシート１２ａの貫通孔３４に圧入部３６と隙間部３５を設け、コアシート１２ａが積層されたコア１２に回転軸１１を圧入し、隙間部３５には回転軸１１とコア１２を接合する樹脂膜３７ａが形成されたことにより、回転軸１１の曲がりと傷を抑制したロータコアを形成できるので、小型で騒音の少ない信頼性の高いモータを提供できる。【選択図】図３
2006158136.tif 000002
【特許請求の範囲】
【請求項１】
複数のコアシートを積層してなるコアに回転軸を圧入したモータ用ロータコアにおいて、該コアの貫通孔と該回転軸の接合部に圧入部と隙間部が設けられ、該隙間部には該コアと該回転軸を接合する樹脂膜が形成されたことを特徴とするモータ用ロータコア。
【請求項２】
該コアの該隙間部と該ロータコアの外側面は一体の樹脂膜が形成されていることを特徴とする請求項１記載のモータ用ロータコア。
【請求項３】
該コアにおいて、該隙間部は整列状態で積層されていること特徴とする請求項１，又は２記載のモータ用ロータコア。
【請求項４】
該コアシートにおいて、該隙間部は回転軸に対して同心円上に等間隔で形成されることを特徴とする請求項１〜３のいずれか１項記載のモータ用ロータコア。
【請求項５】
該隙間部と該ロータコアの外側面に形成される該樹脂膜は、絶縁性樹脂膜であることを特徴とする請求項１〜４のいずれか１項記載のモータ用ロータコア。
【請求項６】
該隙間部と該ロータコアの外側面に形成される該樹脂膜は、ポリイミド系脂膜であることを特徴とする請求項１〜５のいずれか１項記載のモータ用ロータコア。
【請求項７】
該隙間部と該ロータコアの外側面に形成される該樹脂膜は、電着塗装膜であることを特徴とする請求項１〜６のいずれか１項記載のモータ用ロータコア。
【請求項８】
電磁鋼板からなるコアシートが複数枚積層されたコアと回転軸が接合されたロータコアに巻線が巻回されたロータコイルと、該ロータコイルに対向するように配置されたステータマグネットとを有し、該ロータコイルに通電した時生じる磁界との電磁相互作用により回転力を得る請求項１〜７のいずれか１項に記載のモータ用ロータコアを搭載した小型モータ。
【発明の詳細な説明】
【技術分野】
【０００１】
本発明は、カメラのレンズ駆動や、ＣＤ、ＤＶＤ等の記録再生装置の情報機器分野で使用されている小型モータに係わるもので、詳しくはそのロータコアに関するものである。
【背景技術】
【０００２】
近年、可搬型パーソナルコンピュータ等の情報機器に使用されている、モータへの小型化への要求が高まってきている。例えば、情報機器等に使用されるモータの回転軸がコアに圧入されたロータコアにおいて、小型化に伴い回転軸の曲がり、傷つきによる軸受けの摺動音、軸ずれによる騒音および、回転軸の曲がり、傷によるモータの信頼性の低下が問題視されている。
【０００３】
従来、前記のような情報機器に多く使用されているインナーロータ型モータでは、コアシートが複数枚積層固着されたコアの貫通孔に回転軸が圧入され固定されている。複数枚積層されたコアシートの固着方法としては、コアシートに形成したダボによる接合や、複数のコアシートを積層した後、その表面に粉体塗装等により膜を形成し固定する方法や、レーザー溶接によるコアシートを積層固着する方法が提案されている。コアに回転軸を圧入しないで、コアと回転軸を接合する方法としては、コアに回転軸を挿入しコア端面側で回転軸の周り付近をカシメて固着する方法がある。
【０００４】
【特許文献１】特開２００４−２３８４８特開２００３−１１３２６特開２００１−２３１１９１
【発明の開示】
【発明が解決しようとする課題】
【０００５】
情報機器の小型に対応するためのモータの小型化は、それに使用されるロータコアの小型化を要求することになる。
【０００６】
コアを構成する複数のコアシートは、それぞれ個別加工により貫通孔が形成されている。このため、コアシート外形を基準として複数のコアシートを積層した場合、各コアシートの貫通孔のバラツキ（孔形状及び孔位置）が発生する。このバラツキが、回転軸の圧入の際に回転軸の曲がりや傷の原因となっている。
【０００７】
積層固着されたコアに回転軸を圧入する方法は、従来から用いられているが、モータの小型化により回転軸の径は細くなっており、機械的強度が低下している。このために、従来と同じ圧入しろで積層固着されたコアに回転軸を圧入すると、積層されたコアシート間の貫通孔の位置ずれを押しのける機械的強度がないために、回転軸に変形や傷を生じる。
【０００８】
圧入しろを小さくすることは、回転軸の曲がりを低減させ、表面の傷を押さえることには有効な方法であるが、コアと回転軸の接合強度が不足し、衝撃によりコアが位置ずれを起こしたり、回転方向にコアの位置ずれを抑制するため回り止めが別個必要となるという問題点を有する。
【０００９】
また、回転軸の曲がりや表面の傷付きを回避するため、貫通孔に回転軸を挿入し、積層されたコアをカシメて回転軸と接合させる方法がある。しかし、カシメによりコアと回転軸に十分な接合強度を得ようとすると、カシメ力によりコアシートの変形が回転軸を変形させる。また、コアシートの変形による鉄損の増加によりモータ特性を低下させるという問題点がある。また、コアの積層枚数が増加するとコアの両端面に比べ両端面より内側のコアシートのカシメ力が低下し、コアシートが空転したりずれたりする問題点がある。
【００１０】
本発明はこのような従来の課題を解決するものであり、回転軸の曲がりや傷を抑制したロータコアの製造を可能とし、小型で騒音の少ない信頼性の高いモータを提供することを目的とする。
【課題を解決するための手段】
【００１１】
上記の課題を解決するために、本発明では、複数のコアシートを積層してなるコアに回転軸圧入したモータ用ロータコアにおいて、ロータコアの貫通孔と回転軸の接合部に隙間部が設け、該隙間部には該コアと該回転軸を接合する樹脂膜が形成されたことを特徴とする。
【００１２】
本発明において、複数のコアシートを積層してなるコアの貫通孔の周縁部には、回転軸を圧入した際に接合する圧入部と、隙間を有する隙間部を設けたことにより、コアに回転軸を圧入する際の圧入力を低減できるので回転軸の曲がりや傷つきを抑制できる。更に、コアシートの隙間部は、圧入により変形したコアシート、もしくは回転軸の肉逃げ部として作用するので、回転軸の曲がりやコアシートの変形を防止できる。
隙間部に樹脂膜を形成することにより、樹脂膜によるコアと回転軸との接合面積が増え、コアと回転軸が強固に接合される。
【００１３】
本発明において、該隙間部と該ロータコア外側面は一体の樹脂膜が形成されていることが好ましい。
このように構成することで、ロータコアの外側面を覆う樹脂膜と、ロータコアと回転軸の貫通孔の隙間部に形成する樹脂膜を一回の製膜工程で行うことにより、電磁鋼板をプレスにより所望の形状に打ち抜かれたコアシートの端部によるロータコイルの巻線の皮膜の破損防止用樹脂膜の形成と、ロータコアと回転軸の強固な接続を同時に行うことができ、製造工程を簡略化することができる。また、ロータコアに樹脂膜を形成した後、回転軸を圧入したり、回転軸を挿入してカシメてコアと回転軸を接合する工法の圧入応力やカシメ応力による樹脂膜のクラックや剥がれという不具合を解消できる。
【００１４】
また、本発明において、該隙間部は、整列状態で積層されていることが好ましい。
このように構成することで、コアシートの貫通孔に形成された該隙間部に樹脂材料が付着しやすくなり、コアと回転軸の接合面積を大きくすることができるので、強固な接合が可能とである。
【００１５】
また、本発明において、該隙間部は、回転軸に対して同心円上に等間隔で形成されることが好ましい。
このように構成することによって、コアと回転軸の接合に偏りが無く、圧入時の回転軸の曲がり防止と、均一で強固な接合を実現できる。また、コアのティース数の正の整数倍の隙間部を設けると、コアシートを積層するときにシートの表裏に関係なく、ティースの位置のみ合わせて積層すれば、隙間部が整列積層されたコアを形成できるので、不良の発生防止、工程管理の簡略化が可能となる。
【００１６】
また、本発明において、該樹脂膜は、絶縁性樹脂膜であることが好ましい。
このように構成することで、コアと回転軸の接合と、コアとロータコイルの巻線のショート防止用絶縁膜の形成を同一工程で実施でき、工程を簡略化することができる。絶縁性樹脂膜としては、エポキシ系、ポリイミド系、アクリル系等が用いられる。成膜方法としては、ディッピング、吹き付け、静電塗装（粉体塗装含む）、電着塗装を用いることができる。
【００１７】
また、本発明において、該樹脂被膜は、ポリイミド系被膜であることが好ましい。
このように構成することによって、１０μｍから４０μｍでの厚さで電気絶縁性、機械的強度、密着性、耐食性、耐熱性に優れた皮膜を形成できるので、その分巻線の巻き回数を増やすことが可能であり、同じ寸法のモータに対してモータの特性向上が図れる。
【００１８】
また、本発明において、該樹脂被膜は、電着塗装膜であることが好ましい。
このように構成することによって、均一な膜厚で、段差被覆性に優れた薄膜を形成できるので積層により段差を有するコアに良好な絶縁膜を形成することができる。そこで、ロータコアに巻線を多く巻き回することができるので、同じ寸法のモータに対してモータ特性の向上を図れる。
【００１９】
また、本発明においては、電磁鋼板からなるコアシートが複数枚積層されたコアと回転軸が接合された上記記載のロータコアに巻線が巻回されたロータコイルと、該ロータコイルに対向するように配置されたステータマグネットとを有し、該ロータコイルに通電した時生じる磁界との電磁相互作用により回転力を得る該ロータコアを搭載した小型モータであることが好ましい。
このように構成することにより、回転軸の曲がりや騒音の原因となる傷を大幅に減少できるので摺動音、軸ずれによる騒音、および回転軸の曲がり、傷によるモータの信頼性の低下の問題のない小型モータを提供することが出来る。
【発明の効果】
【００２０】
本発明において、複数のコアシートを積層してなるコアの貫通孔の周縁部に、回転軸と接合する圧入部と隙間部を設けたことにより、コアに回転軸を圧入する際に圧入力が低減することが出来るので回転軸の曲がりや傷つきを抑制できる。かつ、隙間部に樹脂膜が形成されたことにより、コアと回転軸との接合面積が増え、コアと回転軸が強固に接合される。更に、コアシートの隙間部は、圧入により変形したコアシート、もしくは回転軸の肉逃げ部として作用するので、回転軸の曲がりやコアシートの変形を防止できる。
【発明を実施するための最良の形態】
【００２１】
以下、本発明を実施するための最良の形態を図面に基づいて説明する。
【実施例１】
【００２２】
図１は、本発明の第１実施の形態に係わるモータの要部断面図である。図２は、本発明第１の実施の形態に係わるモータの回転軸に対して垂直な方向からの図１のＡ−Ａ’部の断面図である。図３は、積層されたコアに回転軸に圧入し、コアシートの隙間部に樹脂膜を形成して回転軸とコアを接合したロータコアに巻線を巻回してロータ部を形成する１つの過程を示す図である。
なお、ロータコアとはコアに回転軸が圧入と隙間部の樹脂膜で接合されたものをいい、ロータコイルとはロータコアに巻線が巻回された状態をいうものとする。
【００２３】
図１においてモータ１は、コアシート１２ａを積層したコア１２にステンレス鋼よりなる回転軸１１を圧入したロータコアに巻線１３が巻き回され、モータカバー１７に設けられた軸受け１４とモータホルダー１８に設けられた軸受け１５により回転可能に支持されている。モータカバー１７の内側には永久磁石からなるステータマグネット１６が、コア１２に対向する位置に固定されている。
【００２４】
ロータ部２を構成する回転軸１１は、積層されたコアシート１２ａからなるコア１２に圧入され、かつコアシート１２ａに形成された隙間部と回転軸１１との間に形成された樹脂膜により接合されている。コア１２の外側面には樹脂膜が形成されている。コア１２には、巻き線１３が所定の回数巻回され、ロータコイルが形成されている。回転軸１１には、軸受け１４，１５とコア１２の距離を一定にするためにブッシュ２３、２５やワッシャ２４、２６が設けられている。
【００２５】
図２は、図１のＡ−Ａ’の横断面におけるモータの構造を示すものである。電磁鋼板を所定の形状にプレス加工されたコアシート１２ａには、中央に貫通孔３４が形成されている。貫通孔３４は、回転軸１１を圧入すると接合する圧入部３６と、回転軸１１の圧入後も回転軸１１との間に隙間を形成する隙間部３５からなる。コア１２に回転軸１１を圧入すると、圧入部３６は回転軸１１と嵌合し接合されるが、隙間部３５では回転軸１１との間に隙間を生じている。
【００２６】
ステータ部３を構成する永久磁石からなるステータマグネット１６は、モーターカバー１６の内側に固定されている。第１の実施例では、モータカバー１７は、小判状の形状であるが、円形、多角形でも構成してもよい。ステータマグネット１６は、分割されたマグネットであるが、分極着磁された一体型マグネットで構成してもよい。
【００２７】
モータカバー１７には、回転軸１１を回転可能に支持する軸受け１４が設けられている。軸受け１４は、モーターカバー１１の一部にバーリング加工等により形成した起立部に圧入固定されている。
【００２８】
モータホルダー１８には、回転軸１１を回転可能に支持する軸受け１５とスラスト板２５と外部電極２０が設けられている。本実施例では、軸受け１４、１５に含油軸受けを用いている。モータホルダー１８には、モータカバー１７と係合するために段部が設けられており、段部とモータカバー１７の解放端部が係合してモータホルダー１８と一体化される。
【００２９】
＜ロータ部の形成＞
図３の（１）は、コアシート１２ａと、コア１２への回転軸１１の圧入前の状態のコアシート１２ａ、およびコアシート１２ａのＢ−Ｂ部の位置におけるロータコアの断面図である。
プレス加工により、所定の形状に電磁鋼板を打ち抜いたコアシート１２ａは、整列積み上げを用の固定治具（図示せず）を用いて複数枚積層されてコア１２を形成する。個別にプレス加工されたコアシート１２ａは、貫通孔３４の孔径や孔位置のバラツキ生じている。この為、整列積み上げ用治具には、このバラツキ量以上のクリアランスが設けられている。
整列積み上げされているがコアシート１２ａ間は固着されていない状態で、コア１２の貫通孔３４に回転軸１１を圧入する。回転軸１１の中心位置に対して、貫通孔３４の中心位置がずれているコアシート１２ａは、回転軸１１の圧入の際の圧入応力により回転軸１１の中心位置と貫通孔３４の中心位置が一致する方向に移動する。この移動により、回転軸１１が受ける不均一な圧入応力が減少される。
個別にプレス加工されたコアシート１２ａの貫通孔３４の孔径や孔位置のバラツキ、積み上げ整列、固着時の位置ずれが累積された状態で、コアシート１２ａを積層固着して一体化したコア１２に対して、回転軸１１の曲がりの原因となる不均一な圧入応力を大幅に低減できる。
【００３０】
圧入時にコアシート１２ａが移動可能であるため、従来のコアシート１２ａが積層固着された一体化されたコア１２の圧入シロに対して小さくすることができる。圧入シロを小さくすることにより、圧入時に発生する回転軸１１の曲がり、傷を少なくすることができる。
【００３１】
圧入シロを小さくすることは、圧入応力を減少させるのに有効であるが、コアシート１２ａの貫通孔３４の孔形状、孔位置のバラツキを小さくしたり、コアシート１２ａの積層積み上げ精度を上げる必要がある。この為、部品歩留まりの低下や工程管理が煩雑となり、コストの上昇を招くという問題点がある。
本実施例においては、貫通孔３４に形成した圧入部３６と隙間部３５の割合を変更することにより、圧入力を調整できる。この為、上記のような問題を生じることがなく、圧入力を調整できるので、回転軸の曲がりや傷を防止、減少することができる。
【００３２】
図３の（２）は、外周部が樹脂膜で被膜されたコアシート１２ａと、回転軸１１が圧入されたコア１２の外側面と隙間部３５に樹脂膜３７ａが形成された状態を示す。図３の（１）と同じくコアシート１２ａの上面図とコアシート１２ａのＢ−Ｂの位置におけるロータコアの側断面図である。側断面図のコア右部分は、図法の関係で樹脂膜３７の表示をしていないが、コア１２の外側面全体に樹脂膜は形成されている。
【００３３】
回転軸１１を圧入したコア１２において、回転軸１１とコア１２の接合力は、少なくとも隙間部３５に樹脂膜３７ａが形成される工程において、コア１２若しくはコアシート１２ａが位置ずれを生じないように設計されている。
【００３４】
回転軸１１が圧入されたコア１２の隙間部３５には、ディップ、吹き付け、静電塗装（粉体塗装含む）、電着塗装により樹脂膜３７ａが形成される。樹脂膜３７ａは、コアシート１２ａと回転軸１１の隙間部３５に形成されており、回転軸１１とコア１２を強固に接合する。コア１２への圧入による接合と隙間部３５の樹脂膜３７ａの接合により、モータの実使用上十分な接合力を確保できる。また、コア１２を構成するすべてのコアシート１２ａの隙間部３５に樹脂膜３７ａが形成されなくとも、モータ実使用上十分な接合力を確保できる。
【００３５】
コア１２の外側面と隙間部３５の樹脂膜３７、３７ａの形成は、コア１２に回転軸１１が圧入された後であれば、同一の樹脂を同一工程で形成しても、同一の樹脂膜を別工程で形成しても、異種の樹脂膜を別工程で形成しても良く、工程の自由度を増すことができるメリットがある。同一工程で同一の樹脂膜３７、３７ａを形成すると、不要部への樹脂膜の形成を防ぐマスキングが１回減らすことができるという工法上のメリットがある。
また、コア１２に樹脂膜３７を形成した後に回転軸１１を圧入する工法や、コア１２に樹脂膜３７を形成した後に回転軸１１を挿入してカシメてコア１２と回転軸１１を接合する工法で発生する圧入応力やカシメ応力による樹脂膜のクラックや剥がれという不具合を解消できる。
【００３６】
本発明において、隙間部３５は整列状態で積層されることが好ましい。隙間部３５が整列状態であると、隙間部３５への樹脂膜３７ａの形成において、膜材料が隙間部３５に進入し易くなり、製膜時間の短縮や接合面積を増加しやすくなるメリットがある。
図３の（２）の実施例では、隙間部３５はコア１２内全てで整列状態で積層されているので連通している。
【００３７】
樹脂膜材料としては、コア１２と回転軸１１との密着性（接合強度）が高く、均一の膜厚でかつ数十μｍ程度の薄膜塗装が可能であり、段差被覆性に優れる材料が好ましい。モータは小型化により、コア１２の巻き線スペースは減少するため、薄膜形成可能で段差被覆性が高い樹脂材料を使用することにより、巻き線１３をより多く巻くことができるので、モータ特性の高くすることができる。
【００３８】
樹脂材料としては、絶縁性を有することが好ましい。絶縁性樹脂であれば、隙間部３５への樹脂膜３７ａの形成と、巻き線１３とコア１２のショートを防止する絶縁性の樹脂膜３７の形成を同一工程で行えるので、工程の簡略化ができる。
【００３９】
絶縁性樹脂膜材料としては、ポリイミド系樹脂、エポキシ系樹脂、アクリル系樹脂等を使用することが出来る。ポリイミド膜、エポキシ膜は均一な薄膜が形成でき、基材との密着性、耐食性、電気絶縁性に優れている。特に、ポリイミド系樹脂は、耐熱性が高く、自動車等の環境温度の高い状態で使用される情報機器においても信頼性が高いので、より好適である。
【００４０】
製膜方法としては、ディッピング、吹き付け、静電塗装（粉体塗装を含む）、電着塗装で製膜することが可能である。
均一な薄膜塗装が可能であること、段差被覆性が高いこと、密着性が高いことから、塗布方法としては電着塗装、粉体塗装が適している。特に、電着塗装は、樹脂膜を形成後熱処理を行わなくても密着性、ピンホールの少ない樹脂膜を形成できる。
電着塗装によるポリイミド系樹脂は、膜厚１０〜１５μｍで密着性、耐食性、電気絶縁性、耐熱性に優れている。
【００４１】
図３の（３）には、巻き線１３がコア１２に巻き回され、ブッシュ２３、２５、ワッシャ２４、２６が回転軸１１に取り付けられたロータ部２が示してある。図３の（２）と同じくコアシート１２ａのＢ−Ｂの位置におけるロータコアの側断面図である。側断面図のコア右部分は、図法の関係で樹脂膜３７の表示をしていないが、コア１２の外側面全体に樹脂膜は形成されている。
【００４２】
コア１２には、樹脂膜３７が形成されており、その上からコア１２のアーム部３２に巻き線１３が巻き回されている。モータ１の軸受け１４，１５とコア１２の距離を一定にするためにブッシュ２３、２５は、回転軸に挿入、もしくは圧入され、所定の位置に配置される。さらにブッシュ２３，２５の回転軸１１の端部側にはワッシャ２４、２６が挿入、もしくは圧入される。
【００４３】
このように構成されたモータは、回転軸の曲がりや傷が、従来の積層固着されたコア１２に回転軸１１が圧入されたロータコアや、カシメにより積層固着されたコア１２と回転軸１１を固着したロータコアに比べて、回転軸の曲がりや騒音の原因となる傷を大幅に減少できるので摺動音、軸ずれによる騒音、および回転軸の曲がり、傷によるモータの信頼性の低下の問題のない小型モータを提供することができる。
【００４４】
（他の実施例）
図４には、本発明の他の実施例であるコアシート１２ａの貫通孔３４を示してある。図４の（１）の実施例では、圧入部３６が円弧状である。隙間部３５と圧入部３６の境界部分にはテーパーが設けられている。境界部のテーパーは、回転軸１１を圧入する際に境界部の角により回転軸１１に傷が発生するのを防止するためである。
【００４５】
図４の（２）の実施例では、貫通孔３４は略三角形であり、３辺にそれぞれ圧入部３６が設けられる、角部が隙間部３５となる。
図４の（３）では、貫通孔３４は略４角形であり、４辺にそれぞれ圧入部３６が設けられ、角部が隙間部３５となる。
【００４６】
他の実施例で明らかなように、回転軸１１に対して圧入部３６は対称に形成されていることが好ましい。これは、各コアシート１２ａと回転軸１１のコアシート１２ａの面方向における接合力のバラツキを少なくする効果と、回転軸１１を圧入する際に回転軸１１の中心とコア１２の中心のずれを抑制する効果があるためである。
【００４７】
隙間部３５の配置は、圧入部３６と同様に回転軸に対して対称に形成されていることが好ましい。
このように構成することによって、コア１２と回転軸１１の接合に偏りが無く、圧入時の回転軸の曲がり防止と、均一で強固な接合を実現できる。また、コア１２のティース数の正の整数倍の隙間部を設けると、コアシート１２ａを積層するときにシートの表裏に関係なく、ティース３１の位置のみ合わせて積層すれば、隙間部３５が整列積層されたコア１２を形成できるので、不良の発生防止、工程管理の簡略化が可能となる。
【００４８】
隙間部３５の大きさは、圧入部３６と隙間部３５の割合や、回転軸１１の径、コア１２の長さ（コアシート１２ａの積層枚数）、隙間部３５に形成される樹脂膜３７ａの樹脂材料や形成方法によって決まる。
【００４９】
例えば、以下の条件で作成されたロータコアは、回転軸１１の曲がり、傷が実用上問題なく、かつ隙間部３５に樹脂膜３７ａが形成され、回転軸１１とコア１２は十分な接合力であることが確認されている。
作成したロータコアは以下の条件は、隙間部３５の形状が図４の（１）で、回転軸１１径が１ｍｍ、釣り鐘形の隙間部３５の開口側端の幅が０．３ｍｍ、奥行きが０．３ｍｍ、コア１２の長さ３．５ｍｍ、外径が８ｍｍ、コアシート厚みが０．３５ｍｍ。回転軸１１とコア１２の圧入シロを５〜２０μｍ、隙間部３５に形成する樹脂膜は、電着塗装によるポリイミド系膜（１０〜１５μｍ、バラツキ含む）。
【００５０】
以上本発明の実施例を説明してきたが、本発明は上記実施例に限定されるものではなく、本発明の主旨の範囲で様々な応用展開が可能である。
【産業上の利用可能性】
【００５１】
以上説明したように本発明に係わるロータコア、モータにおいては、コアシートの貫通孔に圧入部と隙間部を設け、コアシートが積層されたコアに回転軸を圧入し、隙間部には回転軸とコアを接合する樹脂膜が形成されたことにより、回転軸の曲がりと傷を抑制したロータコアを形成できるので、小型で騒音の少ない信頼性の高いモータを提供できる。
【図面の簡単な説明】
【００５２】
【図１】本発明の第１の実施例に係わるモータの側断面図
【図２】本発明の第１の実施例に係わるモータの断面図
【図３】（１）本発明の第１の実施例に係わるロータコアの回転軸圧入前のコアシート上面図およびロータコアの側断面図        （２）本発明の第１の実施例に係わるロータコアの樹脂膜形成後のコアシート上面図およびロータコアの側断面図        （３）本発明の第１の実施例に係わるロータコアおよびロータ部の側断面図
【図４】（１）本発明の第２の実施例に係わるコアシートの貫通孔の上面図        （２）本発明の第３の実施例に係わるコアシートの貫通孔の上面図        （３）本発明の第４の実施例に係わるコアシートの貫通孔の上面図
【符号の説明】
【００５３】
１１  回転軸
１２  コア
１２ａコアシート
１３  巻線
３４  貫通孔
３５  隙間部
３６  圧入部
３７  樹脂膜
３７ａ樹脂膜
【図１】
2006158136.tif 000003
【図２】
2006158136.tif 000004
【図３】
2006158136.tif 000005
【図４】
2006158136.tif 000006
【手続補正書】
【提出日】平成17年11月10日(2005.11.10)
【手続補正１】
【補正対象書類名】図面
【補正対象項目名】図１
【補正方法】変更
【補正の内容】
【図１】
2006158136.tif 000007
【手続補正２】
【補正対象書類名】図面
【補正対象項目名】図２
【補正方法】変更
【補正の内容】
【図２】
2006158136.tif 000008
【手続補正３】
【補正対象書類名】図面
【補正対象項目名】図３
【補正方法】変更
【補正の内容】
【図３】
2006158136.tif 000009
【手続補正４】
【補正対象書類名】図面
【補正対象項目名】図４
【補正方法】変更
【補正の内容】
【図４】
2006158136.tif 000010